(57)【要約】【課題】適切な冷却温度を維持しつつ、冷却エネルギーの利用効率の向上と、消費電力の削減を行うオープンショーケース、制御装置、およびオープンショーケースの制御方法を提供する。【解決手段】制御装置２は、主制御部１１、電磁弁制御部１２、コンプレッサ制御部１３、設定値変更部１４を有する。設定値変更部１４は、カバー開閉スイッチ６からの信号に応じて主制御部１１が記憶している設定温度を変更し、主制御部１１は変更された設定温度に従って電磁弁制御部１２とコンプレッサ制御部１３へ各出力の制御を行うよう指示する。また、電磁弁制御部１２は、主制御部１１からの指示に基づいて、電磁弁３の開度を調整する制御信号を出力し、コンプレッサ制御部１３は、主制御部からの指示に基づいて、コンプレッサ４の運転間隔、または吐出圧力を調整する制御信号を出力する。【選択図】  図３
2004278900.tif 000002
【特許請求の範囲】
【請求項１】
開口部を閉塞する開閉可能なカバーを備え、冷却ユニットによって生成される冷気で前記開口部にエアカーテンを形成するオープンショーケースであって、
前記カバーの開閉に応じて開状態、または閉状態を示す信号を出力するカバー開閉信号出力手段と、
前記カバー開閉信号出力手段から前記カバーが閉じられたことを示す信号を受信すると、前記エアカーテンの冷気温度の設定値に対して所定値を加算し、新たな設定値を設定する温度設定手段と、
前記新たな設定値に応じて、前記冷却ユニットの冷媒循環量を調整する電磁弁に対して、その弁の開度を下げる制御信号を出力する開度制御手段と、
を備えることを特徴とするオープンショーケース。
【請求項２】
前記新たな設定値に応じて、前記冷却ユニットを循環する冷媒を圧縮する圧縮機に対して、その吐出圧力を下げる制御信号を出力する圧力調整手段を備えることを特徴とする請求項１に記載のオープンショーケース。
【請求項３】
室内に設置される照明、または当該オープンショーケースが備える照明のスイッチ操作に応じて、前記照明の消灯状態を示す信号を出力する照明消灯信号出力手段を備え、
前記温度設定手段は、前記照明消灯信号出力手段から前記照明が消灯されたことを示す信号を受信すると、前記エアカーテンの冷気温度の設定値に対して所定値を加算し、新たな設定値を設定することを特徴とする請求項１乃至請求項２に記載のオープンショーケース。
【請求項４】
室内の照度を検知し、検知した照度が一定値を下回った場合に暗状態を示す信号を出力する照度信号出力手段を備え、
前記温度設定手段は、前記照度信号出力手段から暗状態を示す信号を受信すると、前記エアカーテンの冷気温度の設定値に対して所定値を加算し、新たな設定値を設定することを特徴とする請求項１乃至請求項３に記載のオープンショーケース。
【請求項５】
予め設定された時刻に、前記設定温度の変更を指示する信号を出力するタイマ手段を備え、
前記温度設定手段は、前記タイマ手段から前記設定温度の変更を指示する信号を受信すると、前記エアカーテンの冷気温度の設定値に対して所定値を加算し、新たな設定値を設定することを特徴とする請求項１乃至請求項４に記載のオープンショーケース。
【請求項６】
開口部を閉塞する開閉可能なカバーと、前記カバーの開閉に応じて開状態、または閉状態を示す信号を出力するカバー開閉スイッチを備え、冷却ユニットによって生成される冷気で前記開口部にエアカーテンを形成するオープンショーケースを制御する制御装置であって、
前記カバー開閉スイッチから前記カバーが閉じられたことを示す信号を受信すると、前記エアカーテンの冷気温度の設定値に対して所定値を加算し、新たな設定値を設定する温度設定手段と、
前記新たな設定値に応じて、前記冷却ユニットの冷媒循環量を調整する電磁弁に対して、その弁の開度を下げる制御信号を出力する開度制御手段と、
を備えることを特徴とする制御装置。
【請求項７】
前記新たな設定値に応じて、前記冷却ユニットを循環する冷媒を圧縮する圧縮機に対して、その吐出圧力を下げる制御信号を出力する圧力調整手段を備えることを特徴とする請求項６に記載の制御装置。
【請求項８】
前記温度設定手段は、室内に設置される照明、または当該オープンショーケースが備える照明のスイッチ操作に応じて、前記照明の消灯状態を示す信号を出力する照明スイッチから、前記照明が消灯されたことを示す信号を受信すると、前記エアカーテンの冷気温度の設定値に対して所定値を加算し、新たな設定値を設定することを特徴とする請求項６乃至請求項７に記載の制御装置。
【請求項９】
前記温度設定手段は、室内の照度を検知し、検知した照度が一定値を下回った場合に暗状態を示す信号を出力する照度センサから、暗状態を示す信号を受信すると、前記エアカーテンの冷気温度の設定値に対して所定値を加算し、新たな設定値を設定することを特徴とする請求項６乃至請求項８に記載の制御装置。
【請求項１０】
予め設定された時刻に、前記設定温度の変更を指示する信号を出力するタイマ手段を備え、
前記温度設定手段は、前記タイマ手段から前記設定温度の変更を指示する信号を受信すると、前記エアカーテンの冷気温度の設定値に対して所定値を加算し、新たな設定値を設定することを特徴とする請求項６乃至請求項９に記載の制御装置。
【請求項１１】
開口部を閉塞する開閉可能なカバーを備え、冷却ユニットによって生成される冷気で前記開口部にエアカーテンを形成するオープンショーケースの制御方法であって、
前記カバーの開閉に応じて開状態、または閉状態を示す信号を出力する信号出力工程と、
前記カバーが開状態、または閉状態を示す信号が出力されると、前記エアカーテンの冷気温度の設定値を変更して新たな設定値を設定する温度設定工程と、
前記新たな設定値に応じて、前記冷却ユニットの冷媒循環量を調整する電磁弁に対して、その弁の開度を制御する制御信号を出力する開度制御工程と、
を有することを特徴とするオープンショーケースの制御方法。
【請求項１２】
前記新たな設定値に応じて、前記冷却ユニットを循環する冷媒を圧縮する圧縮機に対して、その吐出圧力を調整する制御信号を出力する圧力調整工程を有することを特徴とする請求項１１に記載のオープンショーケースの制御方法。
【発明の詳細な説明】
【０００１】
【発明の属する技術分野】
本発明は、適切な冷却温度を維持しつつ、冷却エネルギーの利用効率の向上と、消費電力の削減を行うオープンショーケース、制御装置、およびオープンショーケースの制御方法に関する。
【０００２】
【従来の技術】
一般的に、オープンショーケースの温度設定は、そのケースに陳列する商品の特性に従ってケース毎に行わなければならず、その設定値は昼夜を問わず一定となっている。また、温度を検出するサーモはメンテナンス性・意匠性を考慮して、ケース上部の冷気吹き出し口付近に取り付けられていることが多い。
【０００３】
吹き出し口から出た冷気は、周囲の空気を巻きこみながら庫内の商品に届くため、商品の温度は吹き出し口の冷気温度と比較して高くなってしまう傾向がある。このようなオープンショーケースに対しては、店舗閉店時間中は省エネルギー対策のため、ケース開口部にカバーをかけることが多い。
【０００４】
また、さらなる省エネルギー対策として、オープンショーケースのカバーを閉じている時に、エアカーテンを形成するためのファンを停止するというものがある（例えば、特許文献１）。このファンを停止することによって、ファンの運転に必要な電力を節約することができる。
【０００５】
【特許文献１】
特開２００２−２２１３８２号公報
【０００６】
【発明が解決しようとする課題】
しかしながら、吹き出し口付近に取り付けられたサーモは、庫内温度ではなく冷気の吹き出し温度を検出してしまい、必ずしも商品の温度を検出している訳ではない。
【０００７】
そのため、カバーを閉じている時には、冷気は周囲空気と接することなく商品に届くことになり、商品温度はカバーをかけていない時と比べて低めとなる。通常は、カバー開口時に商品が一定温度以上にならないよう、吹き出し口の冷気温度を監視しつつ制御するために、カバーをかけている時は必要以上に商品温度を下げてしまうことになり、結果的に冷却エネルギーを無駄に消費することになっていた。
【０００８】
例えば、特許文献１では、カバーを閉じている時にエアカーテン用のファンを停止することで、消費電力を削減することはできるが、冷気循環用のファンは動作し続けるので、上述の様に過冷却になってしまい、冷却エネルギーを無駄に消費することになる。従って、オープンショーケースのカバーを閉じている時は、何らかの方法で冷却温度を制御し、冷却エネルギーの利用効率の向上と、消費電力の削減を行う必要があった。
【０００９】
さらに、平成１５年春から改正省エネ法（エネルギーの使用の合理化に関する法律）が施行される予定であり、オープンショーケースを含む電気冷蔵庫のエネルギー対策が急務となっている。
【００１０】
本発明は上記事情に鑑み、適切な冷却温度を維持しつつ、冷却エネルギーの利用効率の向上と、消費電力の削減を行うオープンショーケース、制御装置、およびオープンショーケースの制御方法を提供することを目的とする。
【００１１】
【課題を解決するための手段】
上記目的を達成するために、請求項１に記載の発明であるオープンショーケースは、開口部を閉塞する開閉可能なカバーを備え、冷却ユニットによって生成される冷気で前記開口部にエアカーテンを形成するオープンショーケースであって、前記カバーの開閉に応じて開状態、または閉状態を示す信号を出力するカバー開閉信号出力手段と、前記カバー開閉信号出力手段から前記カバーが閉じられたことを示す信号を受信すると、前記エアカーテンの冷気温度の設定値に対して所定値を加算し、新たな設定値を設定する温度設定手段と、前記新たな設定値に応じて、前記冷却ユニットの冷媒循環量を調整する電磁弁に対して、その弁の開度を下げる制御信号を出力する開度制御手段とを備えることを特徴とする。
【００１２】
請求項１の発明によれば、オープンショーケース開口部を閉塞するカバーの開閉に応じて、冷気温度の設定値を変更し、その設定値に従って電磁弁の開度を下げることによって、過剰な冷却を防止することができ、冷却エネルギーの無駄な消費を低減することができる。
【００１３】
また、請求項２に記載の発明であるオープンショーケースは、請求項１に記載のオープンショーケースであって、前記新たな設定値に応じて、前記冷却ユニットを循環する冷媒を圧縮する圧縮機に対して、その吐出圧力を下げる制御信号を出力する圧力調整手段を備えることを特徴とする。
【００１４】
請求項２の発明によれば、オープンショーケース開口部を閉塞するカバーの開閉に応じて、冷気温度の設定値を変更し、その設定値に従って吐出圧力を下げることによってコンプレッサの負荷が低減されるので、消費電力の削減を行うことができる。
【００１５】
また、請求項３に記載の発明であるオープンショーケースは、請求項１乃至請求項２に記載のオープンショーケースであって、室内に設置される照明、または当該オープンショーケースが備える照明のスイッチ操作に応じて、前記照明の消灯状態を示す信号を出力する照明消灯信号出力手段を備え、前記温度設定手段は、前記照明消灯信号出力手段から前記照明が消灯されたことを示す信号を受信すると、前記エアカーテンの冷気温度の設定値に対して所定値を加算し、新たな設定値を設定することを特徴とする。
【００１６】
請求項３の発明によれば、室内照明、またはオープンショーケースの照明のスイッチ操作に応じて、冷気温度の設定値を変更し、その設定値に従って電磁弁の開度を下げることによって、過剰な冷却を防止することができ、冷却エネルギーの無駄な消費を低減することができる。また、同様に、照明のスイッチ操作に応じて吐出圧力を下げることによってコンプレッサの負荷が低減されるので、消費電力の削減を行うことができる。
【００１７】
また、請求項４に記載の発明であるオープンショーケースは、請求項１乃至請求項３に記載のオープンショーケースであって、室内の照度を検知し、検知した照度が一定値を下回った場合に暗状態を示す信号を出力する照度信号出力手段を備え、前記温度設定手段は、前記照度信号出力手段から暗状態を示す信号を受信すると、前記エアカーテンの冷気温度の設定値に対して所定値を加算し、新たな設定値を設定することを特徴とする。
【００１８】
請求項４の発明によれば、室内の照度を検知し、検知した照度が一定値を下回った場合に、冷気温度の設定値を変更し、その設定値に従って電磁弁の開度を下げることによって、過剰な冷却を防止することができ、冷却エネルギーの無駄な消費を低減することができる。また、同様に、照度に応じて吐出圧力を下げることによってコンプレッサの負荷が低減されるので、消費電力の削減を行うことができる。
【００１９】
また、請求項５に記載の発明であるオープンショーケースは、請求項１乃至請求項４に記載のオープンショーケースであって、予め設定された時刻に、前記設定温度の変更を指示する信号を出力するタイマ手段を備え、前記温度設定手段は、前記タイマ手段から前記設定温度の変更を指示する信号を受信すると、前記エアカーテンの冷気温度の設定値に対して所定値を加算し、新たな設定値を設定することを特徴とする。
【００２０】
請求項５の発明によれば、予め設定された時刻に、冷気温度の設定値を変更し、その設定値に従って電磁弁の開度を下げることによって、過剰な冷却を防止することができ、冷却エネルギーの無駄な消費を低減することができる。また、同様に、予め設定された時刻に吐出圧力を下げることによってコンプレッサの負荷が低減されるので、消費電力の削減を行うことができる。
【００２１】
また、請求項６に記載の発明である制御装置は、開口部を閉塞する開閉可能なカバーと、前記カバーの開閉に応じて開状態、または閉状態を示す信号を出力するカバー開閉スイッチを備え、冷却ユニットによって生成される冷気で前記開口部にエアカーテンを形成するオープンショーケースを制御する制御装置であって、前記カバー開閉スイッチから前記カバーが閉じられたことを示す信号を受信すると、前記エアカーテンの冷気温度の設定値に対して所定値を加算し、新たな設定値を設定する温度設定手段と、前記新たな設定値に応じて、前記冷却ユニットの冷媒循環量を調整する電磁弁に対して、その弁の開度を下げる制御信号を出力する開度制御手段とを備えることを特徴とする。
【００２２】
請求項６の発明によれば、オープンショーケース開口部を閉塞するカバーの開閉に応じて、冷気温度の設定値を変更し、その設定値に従って電磁弁の開度を下げることによって、過剰な冷却を防止することができ、冷却エネルギーの無駄な消費を低減することができる。
【００２３】
また、請求項７に記載の発明である制御装置は、請求項６に記載の制御装置であって、前記新たな設定値に応じて、前記冷却ユニットを循環する冷媒を圧縮する圧縮機に対して、その吐出圧力を下げる制御信号を出力する圧力調整手段を備えることを特徴とする。
【００２４】
請求項７の発明によれば、オープンショーケース開口部を閉塞するカバーの開閉に応じて、冷気温度の設定値を変更し、その設定値に従って吐出圧力を下げることによってコンプレッサの負荷が低減されるので、消費電力の削減を行うことができる。
【００２５】
また、請求項８に記載の発明である制御装置は、請求項６乃至請求項７に記載の制御装置であって、前記温度設定手段は、室内に設置される照明、または当該オープンショーケースが備える照明のスイッチ操作に応じて、前記照明の消灯状態を示す信号を出力する照明スイッチから、前記照明が消灯されたことを示す信号を受信すると、前記エアカーテンの冷気温度の設定値に対して所定値を加算し、新たな設定値を設定することを特徴とする。
【００２６】
請求項８の発明によれば、室内照明、またはオープンショーケースの照明のスイッチ操作に応じて、冷気温度の設定値を変更し、その設定値に従って電磁弁の開度を下げることによって、過剰な冷却を防止することができ、冷却エネルギーの無駄な消費を低減することができる。また、同様に、照明のスイッチ操作に応じて吐出圧力を下げることによってコンプレッサの負荷が低減されるので、消費電力の削減を行うことができる。
【００２７】
また、請求項９に記載の発明である制御装置は、請求項６乃至請求項８に記載の制御装置であって、前記温度設定手段は、室内の照度を検知し、検知した照度が一定値を下回った場合に暗状態を示す信号を出力する照度センサから、暗状態を示す信号を受信すると、前記エアカーテンの冷気温度の設定値に対して所定値を加算し、新たな設定値を設定することを特徴とする。
【００２８】
請求項９の発明によれば、室内の照度を検知し、検知した照度が一定値を下回った場合に、冷気温度の設定値を変更し、その設定値に従って電磁弁の開度を下げることによって、過剰な冷却を防止することができ、冷却エネルギーの無駄な消費を低減することができる。また、同様に、照度に応じて吐出圧力を下げることによってコンプレッサの負荷が低減されるので、消費電力の削減を行うことができる。
【００２９】
また、請求項１０に記載の発明である制御装置は、請求項６乃至請求項９に記載の制御装置であって、予め設定された時刻に、前記設定温度の変更を指示する信号を出力するタイマ手段を備え、前記温度設定手段は、前記タイマ手段から前記設定温度の変更を指示する信号を受信すると、前記エアカーテンの冷気温度の設定値に対して所定値を加算し、新たな設定値を設定することを特徴とする。
【００３０】
請求項１０の発明によれば、予め設定された時刻に、冷気温度の設定値を変更し、その設定値に従って電磁弁の開度を下げることによって、過剰な冷却を防止することができ、冷却エネルギーの無駄な消費を低減することができる。また、同様に、予め設定された時刻に吐出圧力を下げることによってコンプレッサの負荷が低減されるので、消費電力の削減を行うことができる。
【００３１】
また、請求項１１に記載の発明であるオープンショーケースの制御方法は、開口部を閉塞する開閉可能なカバーを備え、冷却ユニットによって生成される冷気で前記開口部にエアカーテンを形成するオープンショーケースの制御方法であって、前記カバーの開閉に応じて開状態、または閉状態を示す信号を出力する信号出力工程と、前記カバーが開状態、または閉状態を示す信号が出力されると、前記エアカーテンの冷気温度の設定値を変更して新たな設定値を設定する温度設定工程と、前記新たな設定値に応じて、前記冷却ユニットの冷媒循環量を調整する電磁弁に対して、その弁の開度を制御する制御信号を出力する開度制御工程とを有することを特徴とする。
【００３２】
請求項１１の発明によれば、オープンショーケース開口部を閉塞するカバーの開閉に応じて、冷気温度の設定値を変更し、その設定値に従って電磁弁の開度を調整することによって、過剰な冷却を防止することができ、冷却エネルギーの無駄な消費を低減することができる。
【００３３】
また、請求項１２に記載の発明であるオープンショーケースの制御方法は、請求項１１に記載のオープンショーケースの制御方法であって、前記新たな設定値に応じて、前記冷却ユニットを循環する冷媒を圧縮する圧縮機に対して、その吐出圧力を調整する制御信号を出力する圧力調整工程を有することを特徴とする。
【００３４】
請求項１２の発明によれば、オープンショーケース開口部を閉塞するカバーの開閉に応じて、冷気温度の設定値を変更し、その設定値に従って吐出圧力を調整することによってコンプレッサの負荷が低減されるので、消費電力の削減を行うことができる。
【００３５】
【発明の実施の形態】
本発明の実施形態を、図１〜図３に基づいて説明する。
【００３６】
まず、オープンショーケース１のシステム全体構成について図１、および図２に基づいて説明する。
【００３７】
本実施形態におけるオープンショーケース１は、図１に示すように電磁弁３とコンプレッサ４を制御する制御装置２を備え、制御装置２には、照明スイッチ７と照度センサ８が接続される。また、図２に示すようにオープンショーケース１上部の冷気吹き出し口近傍には、サーモ５とカバー開閉スイッチ６とが設置される。
【００３８】
サーモ５は、常時、吹き出し口の冷気温度を検出し、制御装置２へ検出した温度を示す信号を出力する。
【００３９】
また、カバー開閉スイッチ６は、オープンショーケース１開口部のカバーの開閉に連動して、制御装置２に設定温度変更のトリガーとなる信号を出力する。
【００４０】
照明スイッチ７、照度センサ８は、制御装置２に設定温度変更のトリガーとなる信号を出力する装置であって、店内またはオープンショーケース１に設置される。
【００４１】
照明スイッチ７は、店内照明のスイッチ（照明の点灯、および消灯）、または庫内照明のスイッチに連動して、制御装置２に設定温度変更のトリガーとなる信号を出力する。この照明スイッチ７については特に限定しないが、例えば、照明のスイッチがＯＦＦになった時に信号を出力するリレースイッチであれば、本実施形態を満足することができる。
【００４２】
照度センサ８は、店内の明るさ（照度が一定値を下回った場合、および上回った場合）、または庫内の明るさに連動して、制御装置２に設定温度変更のトリガーとなる信号を出力する。この照明スイッチ７についても、照明スイッチ７と同様に、特に限定しないが、例えば、照明の照度が一定値を下回った時に信号を出力するリレースイッチを備えていれば、本実施形態を満足することができる。
【００４３】
次に制御装置２について、図３に基づいて説明する。制御装置２は、図３に示すように主制御部１１、電磁弁制御部１２、コンプレッサ制御部１３、設定値変更部１４、およびタイマ部１５を有する。その他に、凝縮ファンや冷却ファン、エアカーテン用のファンを制御する機能部、膨張弁の開度を調整する機能部を有することが考えられるが、本実施形態においては詳細な説明は省略する。
【００４４】
主制御部１１は、電磁弁３、およびコンプレッサ４を制御するための設定温度を記憶しており、設定温度が変更されると、電磁弁制御部１２とコンプレッサ制御部１３へ各出力の制御を行うよう指示する機能を有する。また、通常はサーモ５からの信号（検出温度）と設定温度を比較し、電磁弁制御部１２とコンプレッサ制御部１３へ各出力の制御を行うよう指示する。
【００４５】
電磁弁制御部１２は、主制御部１１からの指示に基づいて、電磁弁３の開度を調整する制御信号を出力する機能を有する。
【００４６】
コンプレッサ制御部１３は、主制御部１１からの指示に基づいて、コンプレッサ４の運転間隔、または圧縮能力を調整する制御信号を出力する機能を有する。
【００４７】
設定値変更部１４は、カバー開閉スイッチ６、照明スイッチ７、照度センサ８、タイマ部１５の入力信号（設定温度変更のトリガーとなる信号）に応じて、主制御部１１が記憶している設定温度を変更する機能を有する。
【００４８】
タイマ部１５は、設定された時刻に設定値変更部１４に対して、主制御部１１が記憶している設定温度を変更するトリガーとなる信号を出力する機能を有する。この設定された時刻とは、例えば閉店時刻や開店時刻であり、オープンショーケース１のカバーが閉じられる時刻や開けられる時刻が設定される。
【００４９】
なお、コンプレッサ４や凝縮器等からなる冷却サイクルは、本実施形態においては、便宜的にオープンショーケース１本体とは別ユニットとして示されているが、特にこれに限定されるものではなく、オープンショーケース１本体と冷却サイクルが一体となっていてもかまわない。また、１台の冷却サイクルで複数のオープンショーケース１本体を冷却するようになっているが、特にこれに限定されるものではなく、オープンショーケース１本体は１台でもかまわない。
【００５０】
また同様に、１台の制御装置２で複数のオープンショーケース１を制御しても良い。その場合、制御装置２は制御するオープンショーケース１の台数分の入出力ラインを有し、電磁弁制御部１２、コンプレッサ制御部１３、主制御部１１および設定値変更部１４は、入出力ライン毎にそれぞれ個別に制御する。さらに主制御部１１は、オープンショーケース１毎に設定温度を記憶する。
【００５１】
また、図１に示されている照明スイッチ７と照度センサ８は店内に設置されている場合を示しているが、照明スイッチ７と照度センサ８が個々のオープンショーケース１に設置されている場合は、カバー開閉スイッチ６と同様に、個々に制御装置２に接続される。
【００５２】
次に、制御装置２の動作について説明する。
【００５３】
＜カバー開閉スイッチ６（タイマ部１５）による制御＞
≪１つの制御装置２で１台のオープンショーケース１を制御する場合≫
通常、主制御部１１はサーモ５からの入力信号（温度入力）と記憶している設定温度とを比較して、膨張弁の開度の制御や冷却ファンの運転制御を行って、オープンショーケース１の冷却能力を調整している。
【００５４】
１つの制御装置２で１台のオープンショーケース１を制御する場合において、そのオープンショーケース１の備えるカバー開閉スイッチ６からカバーが閉じられたことを示す信号（設定温度を変更するトリガーとなる信号）が出力され、制御装置２の設定値変更部１４がその信号を受信すると、設定値変更部１４は、主制御部１１が記憶している設定温度に所定値を加算して、新たな設定温度を設定する。例えば、通常の運転状態で設定温度が３度に設定され、上記の所定値が＋３度であった場合、新たな設定温度は６度になる。
【００５５】
この加算される所定値には、冷蔵庫、冷凍庫、チルド冷蔵庫等、オープンショーケース１のタイプによって適宜、数値が選択される。
【００５６】
主制御部１１は、設定温度が変更されると、新たに設定された設定温度に従って、コンプレッサ制御部１３に対して吐出圧力の制御と、電磁弁制御部１２に対して開度の制御との実行指示と設定温度を通知する。
【００５７】
電磁弁制御部１２は、主制御部１１からの通知に従って、蒸発器に過剰に冷媒が流入しないよう、また庫内温度が６度になるように電磁弁３の開度を下げる（弁を絞る）制御信号を出力する。また、同時に、コンプレッサ制御部１３も、主制御部１１からの通知に従って、コンプレッサ４の吐出圧力を下げる制御信号を出力する。
【００５８】
また、オープンショーケース１の備えるカバー開閉スイッチ６からカバーが開けられたことを示す信号が出力され、制御装置２の設定値変更部１４がその信号を受信すると、設定値変更部１４は、主制御部１１が記憶している設定温度から所定値を減算して、設定温度を元に戻す。
【００５９】
主制御部１１は、設定温度が元に戻されると、その設定温度に従って、コンプレッサ制御部１３に対して吐出圧力の制御と、電磁弁制御部１２に対して開度の制御との実行指示と設定温度を通知し、電磁弁制御部１２は、主制御部１１からの通知に従って電磁弁３の開度を上げる（弁を開く）制御信号を出力する。また、同時に、コンプレッサ制御部１３も、主制御部１１からの通知に従って、コンプレッサ４の吐出圧力を上げる制御信号を出力する。
【００６０】
このように、電磁弁３の開度を調整することによって、過剰な冷却を防止し、冷却エネルギーの無駄な消費を低減することができる。また、吐出圧力を下げることによってコンプレッサ４の負荷が低減されるので、消費電力の削減を行うことができる。
【００６１】
≪１つの制御装置２で複数のオープンショーケース１を制御する場合≫
１つの制御装置２で複数のオープンショーケース１を制御する例として、図１に示す構成を用いて説明する。オープンショーケース１ａ，ｂ，ｃ…、電磁弁３ａ，ｂ，ｃ…のいずれも１つの制御装置２に接続されていることとする。
【００６２】
今、オープンショーケース１ａからカバーが閉じられたことを示す信号が出力され、制御装置２の設定値変更部１４がその信号を受信すると、設定値変更部１４は、制御下にある全てのオープンショーケース１のカバーが閉じられたかどうか判定する。少なくとも１台以上、カバーの閉じられていないオープンショーケース１がある場合は、設定値変更部１４は主制御部１１が記憶しているオープンショーケース１ａの設定温度に所定値を加算して、新たな設定温度を設定し、カバーが閉じられたオープンショーケース１ａを特定する情報を主制御部１１に通知する。
【００６３】
カバーが閉じられたオープンショーケース１に対しては、冷媒の供給量を調整する必要があるので、主制御部１１は、電磁弁制御部１２に対して、オープンショーケース１ａに冷媒を供給している配管に設置されている電磁弁３ａの開度の制御との実行指示と設定温度を通知する。
【００６４】
この時、主制御部１１は、コンプレッサ制御部１３に対して吐出圧力の制御の実行指示は通知しない。吐出圧力を下げると、冷却温度が上昇し、カバーが閉じられていないオープンショーケース１の温度が上昇してしまうためである。
【００６５】
電磁弁制御部１２は、主制御部１１からの通知に従って、オープンショーケース１ａの蒸発器に過剰に冷媒が流入しないように電磁弁３ａの開度を下げる制御信号を出力する。
【００６６】
以降、カバーが閉じられたことを示す信号が出力される度に、設定値変更部１４は、制御下にある全てのオープンショーケース１のカバーが閉じられたかどうか判定し、最後のオープンショーケース１のカバーが閉じられた場合は、上記の場合と同様に、設定値変更部１４は主制御部１１が記憶しているオープンショーケース１の設定温度に所定値を加算して、新たな設定温度を設定し、カバーが閉じられたオープンショーケース１を特定する情報を主制御部１１に通知する。
【００６７】
主制御部１１は、電磁弁制御部１２に対して、個々のオープンショーケース１に冷媒を供給している配管に設置されている電磁弁３の開度の制御の実行指示と設定温度を通知する。さらに、コンプレッサ制御部１３に対して、吐出圧力の制御の実行指示と設定温度を通知する。
【００６８】
電磁弁制御部１２は、主制御部１１からの通知に従って、オープンショーケース１の蒸発器に過剰に冷媒が流入しないように電磁弁３の開度を下げる制御信号を出力する。また、同時に、コンプレッサ制御部１３は、主制御部１１からの通知に従って、コンプレッサ４の吐出圧力を下げる制御信号を出力する。
【００６９】
また、個々のオープンショーケース１の備えるカバー開閉スイッチ６からカバーが開けられたことを示す信号が出力され、制御装置２の設定値変更部１４がその信号を受信すると、設定値変更部１４は、主制御部１１が記憶している個々のオープンショーケース１の設定温度から所定値を減算して、設定温度を元に戻す。
【００７０】
主制御部１１は、設定温度が元に戻されると、その設定温度に従って、コンプレッサ制御部１３に対して吐出圧力の制御と、電磁弁制御部１２に対して開度の制御との実行指示と設定温度を通知し、電磁弁制御部１２は、主制御部１１からの通知に従って個々のオープンショーケース１へ冷媒を供給する電磁弁３の開度を上げる（弁を開く）制御信号を出力する。また、同時に、コンプレッサ制御部１３も、主制御部１１からの通知に従って、コンプレッサ４の吐出圧力を上げる制御信号を出力する。
【００７１】
このように、オープンショーケース１毎に電磁弁３の開度を調整することによって、個々に温度調整を可能すると共に、冷却エネルギーの無駄な消費を低減することができる。また、吐出圧力を下げることによってコンプレッサ４の負荷が低減されるので、消費電力の削減を行うことができる。
【００７２】
なお、コンプレッサ制御部１３は、オープンショーケース１からカバーが閉じられたことを示す信号が出力される度に、電磁弁３を閉じることによって発生する過剰な冷媒を供給しないよう、冷媒の吐出量を調整するようにしてもよい。
【００７３】
また、照度センサ８や照明スイッチ７が個々のオープンショーケース１に設置されている場合は、カバー開閉スイッチ６からの出力信号による制御と同様に、照度センサ８や照明スイッチ７からの出力信号によって、上記の制御を行う。
【００７４】
＜照度センサ８、照明スイッチ７、タイマ部１５による制御＞
この実施例では、照度センサ８と照明スイッチ７は店内に設置され、オープンショーケース１個々に設置される場合を含まない。またタイマ部１５には、店舗の開店時刻や閉店時刻等、店舗全体のオープンショーケース１のカバーが開けられる時刻と閉じられる時刻が設定されていることとする。
【００７５】
今、照度センサ８から店内の照度が一定値を下回ったことを示す信号、または照明スイッチ７から店内照明が消灯されたことを示す信号、またはタイマ部１５から予め設定された時刻（カバーが閉じられる時刻）に至ったことを示す信号のいずれかが出力され、制御装置２の設定値変更部１４がその信号を受信すると、設定値変更部１４は主制御部１１が記憶している設定温度に所定値を加算して、新たな設定温度を設定する。複数のオープンショーケース１が制御装置２の制御下にあり、個々にオープンショーケース１の設定温度が記憶されている場合は、個々に設定温度に所定値を加算して、新たな設定温度を設定する。
【００７６】
主制御部１１は、設定温度が変更されると、新たに設定された設定温度に従って、コンプレッサ制御部１３に対して吐出圧力の制御と、電磁弁制御部１２に対して開度の制御との実行指示と設定温度を通知する。複数のオープンショーケース１が制御装置２の制御下にある場合には、主制御部１１は、個々のオープンショーケース１に冷媒を供給している配管に設置されている電磁弁３の開度の制御の実行指示と、個々の設定温度を通知する。さらに、コンプレッサ制御部１３に対して、吐出圧力の制御の実行指示と設定温度を通知する。
【００７７】
電磁弁制御部１２は、主制御部１１からの通知に従って、電磁弁３の開度を下げる制御信号を出力する。また、同時に、コンプレッサ制御部１３も、主制御部１１からの通知に従って、コンプレッサ４の吐出圧力を下げる制御信号を出力する。
【００７８】
また、照度センサ８から店内の照度が一定値を上回ったことを示す信号、または照明スイッチ７から店内照明が点灯されたことを示す信号、またはタイマ部１５から予め設定された時刻（カバーが開けられる時刻）に至ったことを示す信号のいずれかが出力され、制御装置２の設定値変更部１４がその信号を受信すると、設定値変更部１４は、主制御部１１が記憶している設定温度から所定値を減算して、設定温度を元に戻す。
【００７９】
主制御部１１は、設定温度が元に戻されると、その設定温度に従って、コンプレッサ制御部１３に対して吐出圧力の制御と、電磁弁制御部１２に対して開度の制御との実行指示と設定温度を通知し、電磁弁制御部１２は、主制御部１１からの通知に従って電磁弁３の開度を上げる（弁を開く）制御信号を出力する。また、同時に、コンプレッサ制御部１３も、主制御部１１からの通知に従って、コンプレッサ４の吐出圧力を上げる制御信号を出力する。
【００８０】
このように、電磁弁３の開度を調整することによって、過剰な冷却を防止し、冷却エネルギーの無駄な消費を低減することができる。また、吐出圧力を下げることによってコンプレッサ４の負荷が低減されるので、消費電力の削減を行うことができる。
【００８１】
なお、上記の各実施例では、コンプレッサ４の出力調整方法として、吐出圧力を調整することを示した。しかし、コンプレッサ４の吐出圧力はそのままに間欠運転等を行って運転間隔を調整し、吐出量を調整することによって冷却温度を制御することは可能である。従って、コンプレッサ４の運転間隔を調整することによってもコンプレッサ４の負荷が低減されるので、消費電力の削減を行うことができる。
【００８２】
【発明の効果】
以上説明したように、本発明によれば、オープンショーケース開口部を閉塞するカバーの開閉状態、照度、オープンショーケースの照明のスイッチ操作、またはタイマの設定時刻のいずれかに応じて、冷気温度の設定値を変更し、その設定値に従って電磁弁の開度を下げることによって、過剰な冷却を防止することができ、冷却エネルギーの無駄な消費を低減することができる。また、吐出圧力を下げることによってコンプレッサの負荷が低減されるので、消費電力の削減を行うことができる。
【図面の簡単な説明】
【図１】オープンショーケースと制御装置の全体構成図である。
【図２】オープンショーケースの構造図（断面図）である。
【図３】制御装置の機能ブロック図である。
【符号の説明】
１  オープンショーケース
２  制御装置
３  電磁弁
４  コンプレッサ
５  サーモ
６  カバー開閉スイッチ
７  照明スイッチ
８  照度センサ
１１  主制御部
１２  電磁弁制御部
１３  コンプレッサ制御部
１４  設定値変更部
１５  タイマ部
【図１】
2004278900.tif 000003
【図２】
2004278900.tif 000004
【図３】
2004278900.tif 000005